(57)【特許請求の範囲】
【請求項１】
不織布からなる組立式フィルターであって、開口部を有するフィルター部と、該開口部周縁に一体に連接されたシート状支持部とからなり、該シート状支持部は、上記フィルター部を挟んでその両側にスタンド部を形成するための、上記開口部の外側周縁に沿って、かつその一部に、上記フィルター部を挟んで設けられた一対の切込み部、および該切込み部の両端からそれぞれ前記シート状支持部の両端に延びるように設けられた折曲げ部を有し、さらに上記スタンド部を形成する部分の両端中央部に舌片部が設けられており、前記切込み部は、シート状支持部の開口部周縁から１〜１０mm外側に設けられることを特徴とする組立式フィルター。
【請求項２】
前記フィルター部とシート状支持部は、一体成形して得られることを特徴とする請求項１記載の組立式フィルター。
【請求項３】
請求項１又は２に記載の組立式フィルターを使用する際に、シート状支持部に設けられた切込み部を切り離すと同時に該切込み部に連接した折曲げ部を折り曲げてフィルター部の両側にスタンド部を形成し、該スタンド部の端部に設けられた舌片部を既存容器の開口部の内側に挿入し、該既存容器内部に前記フィルター部を装着することを特徴とする組立式フィルターの使用方法。
【発明の詳細な説明】
【０００１】
【発明の属する技術分野】
本発明は組立式フィルターおよびその使用方法に関し、さらに詳しくは紅茶、緑茶、コーヒー粉末などの成分を抽出するのに好適な組立式フィルターおよびその使用方法に関する。
【０００２】
【従来の技術】
従来、紅茶、緑茶、コーヒー等を簡便に成分抽出する方法として、プラスチック製ドリッパーを用いるドリップ式が主に採用されている。しかし、この方法では、成分を抽出するための濾紙等からなるフィルターとともにドリッパーを必要とするため、持ち運びなどに不便であり、どこでも気軽に成分抽出を行うことができないという欠点があった。
この欠点を解決するため、プラスチックなどからなる容器状ドリッパーの底部にコーヒー粉末を収納した濾紙袋などを貼着した使い捨てタイプのフィルターが提案されているが、プラスチックなどの容器状ドリッパーの使用が必要であり、またその構造が複雑となるため、製造コストが高くなるなどの問題があった（実開昭５８−１４３６２６号、実開昭６０−７７５２８号等）。
一方、紙製で作られた簡便性に優れた折り畳み式の組立てフィルターが市販されているが、紙の臭いが抽出液に移りやすく、またコーヒー粉末の粉洩れなどが生じやすいという問題があった（実開昭５７−１６９２２４号等）。
【０００３】
【発明が解決しようとする課題】
本発明は、上記従来技術の問題点を解決し、ドリッパー、またはプラスチックなどの支持体を使用することなく、使用時にフィルター材を容易に組立てて既存容器にセットして成分抽出を簡便に行うことができ、かつフィルターの臭い移りやコーヒー粉末の粉洩れなどの生じない組立式フィルターおよびその使用方法を提供するものである。
【０００４】
【課題を解決するための手段】
本願で特許請求される発明は以下の通りである。
（１）不織布からなる組立式フィルターであって、開口部を有するフィルター部と、該開口部周縁に一体に連接されたシート状支持部とからなり、該シート状支持部は、上記フィルター部を挟んでその両側にスタンド部を形成するための、上記開口部の外側周縁に沿って、かつその一部に、上記フィルター部を挟んで設けられた一対の切込み部、および該切込み部の両端からそれぞれ前記シート状支持部の両端に延びるように設けられた折曲げ部を有し、さらに上記スタンド部を形成する部分の両端中央部に舌片部が設けられており、前記切込み部は、シート状支持部の開口部周縁から１〜１０mm外側に設けられることを特徴とする組立式フィルター。
【０００５】
（２）前記フィルター部とシート状支持部は、一体成形して得られることを特徴とする（１）記載の組立式フィルター。
（３）（１）又は（２）に記載の組立式フィルターを使用する際に、シート状支持部に設けられた切込み部を切り離すと同時に該切込み部に連接した折曲げ部を折り曲げてフィルター部の両側にスタンド部を形成し、該スタンド部の端部に設けられた舌片部を既存容器の開口部の内側に挿入し、該既存容器内部に前記フィルター部を装着することを特徴とする組立式フィルターの使用方法。
【０００６】
【発明の実施の形態】
本発明における組立式フィルターは、後述するように開口部を有するフィルター部と、該開口部周縁に一体に連接されるシート状支持部とからなり、これらは不織布で構成され、不織布を一体成形することにより容易に得ることができる。従って、本発明の組立式フィルターに用いられる不織布としては、一体成形加工が可能な特性を有するもの、すなわち、成型加工温度（例えば８０〜２３０℃）での破断伸度が５０％以上、好ましくは７０〜４００％を有するものが、容器状の凹凸形状を形成する点から好ましい。
このような不織布に用いられる繊維としては、例えばポリエステル繊維、ポリオレフィン繊維、ポリアミド繊維またはこれらの複合繊維もしくは共重合繊維などが挙げられる。これらの短繊維、長繊維またはこれらの混合繊維を単一でまたは２種以上併用して公知のスパンボンド法、ニードルパンチ法、サーマルボンド法などにより不織布とすることができる。
【０００７】
不織布を構成する繊維の平均繊維径は０．０１〜２０デニールが好ましく、より好ましくは０．５〜１０デニールである。不織布は単一層であっても複数の不織布を積層したものであってもよい。また不織布の目付は、７０〜５００g/m2が好ましく、より好ましくは１００〜３００g/m2である。
不織布の一体成形は、例えば、該不織布を成形加工温度（例えば８０〜２３０℃）に加熱した後、金型でプレス成形加工を行うか、雄雌金型、凹凸金型を成形加工温度（例えば８０〜２３０℃）に加熱して、熱プレス成型加工などによって行うことができる。
本発明において、フィルター部の通液性および好水性などを調整する目的で不織布に樹脂を塗布してもよい。このような樹脂としては、例えば、食品用途に用いられる、ショ糖、カルボキシメチルセルロース、ショ糖脂肪酸エステル、ポリグリセリン脂肪酸エステル、ソルビタン脂肪酸エステル、脂肪酸エステルおよびシリコーン系樹脂、シリコーン系オイルなどを挙げることができる。樹脂の付着量は、０．０１〜２０ｇ／ｍ2 とするのが好ましく、より好ましくは０．０５〜１０ｇ／ｍ2 であり、公知の浸漬方法、グラビヤ方法、キスロール方法、コーティング方法、スプレー方法などにより不織布の全面または部分的に塗布することができる。
【０００８】
本発明の組立式フィルターを図面により説明する。
図１の(a) および(b) は、本発明の一実施例を示す組立式フィルターの平面図および正面図である。
図２は、図１の組立式フィルターを組立てた場合の斜視図であり、図３は、この組立てたフィルターを既存容器に装着して抽出を行うときの説明図である。
図１において、組立式フィルターは、開口部３を有するフィルター部１と、該開口部周縁３ａに一体に連接されたシート状支持部２とからなり、該シート状支持部２には、上記フィルター部１を挟んでその両側にスタンド部４を形成するための、上記開口部３の外側周縁に沿って、かつその一部に上記フィルター部１を挟んで設けられた一対の切込み部６および該切込み部６の両端からそれぞれ前記シート状支持部の両端に延びるように設けられた折曲げ部７を有し、さらに上記スタンド部４を形成する部分の両端中央部には舌片部５が設けられている。
【０００９】
このような構成において、図２に示すように、シート状支持部２に設けられた一対の切込み部６を切り離し、それと同時に各切込み部６の両端に連接した折曲げ部７を折り曲げてフィルター部１を挟んだ両側にそれぞれスタンド部４を形成する。その後、図３に示すように、スタンド部４のそれぞれの端部中央に設けられた舌片部５を既存容器８の開口部の内側に挿入し、前記フィルター部１を該既存容器内部に装着する。
【００１０】
このように組み立てられて既存容器にセットされたフィルターのフィルター部１には、例えばコーヒー粉末が入れられて熱湯が注がれる。この場合、フィルター部１の容量いっぱいに熱湯を注いでも、フィルターは、フィルター部１の開口部周縁に一体に連接するシート状支持部２および該シート状支持部２に設けられた切込み部６および折曲げ部７により形成されるスタンド部４、さらに該スタンド部４の端部中央に設けられた舌片部５により既存容器８にしっかりと固定、装着されるため、フィルター部１が既存容器内でぐらついて熱湯がこぼれたり、またはフィルター部１が既存容器８の外側にずれたりすることがない。またスタンド部４によりフィルター部１が既存容器開口部の上部に固定されるため、既存容器８の抽出液量をフィルターをセットしたまま確認することができ、熱湯の注ぎすぎによる抽出液の溢れを防止でき、また抽出液の色等の確認が容易である。
【００１１】
本発明において、フィルター部１の形状には特に制限はなく、丸型、だ円型、三角型、四角型等の任意の形状でよい。またその容量にも特に制限はなく、必要な抽出液が得られ、かつ既存容器開口部の上部に装着できる大きさに適宜選定することができる。通常、フィルター部の容量は、５０〜２００cm3 、好ましくは７０〜１６０cm3 とされ、また図１に示すような丸型のフィルターの場合は、フィルター部１の開口部の口径Ｅ（直径、以下同じ）は４０〜１１０mm、好ましくは５０〜９０mm、フィルター部１の底部口径Ｆは３０〜１００mm、好ましくは４０〜８０mm、またフィルター部１の深さＨは３０〜１００mm、好ましくは４０〜８０mmとされる。
【００１２】
またシート状支持部２は、フィルター部１の開口部周縁３ａに一体に連接して設けられ、開口部３の外側周縁に沿って、かつその一部に上記フィルター部１を挟んで設けられる一対の切込み部６および該切込み部６の端部からそれぞれ前記シート状支持部２の両端に延びるように設けられる折曲げ部７を有する。
シート状支持部２の形状および大きさには特に制限はなく、フィルター部に供給される抽出用粉末および熱湯の重さを支えることができる形状および大きさに適宜選定される。通常は四角形または長方形の形状とされ、その縦および横の長さは、フィルター部の開口部３の口径Ｅの１．１〜２．０倍の範囲で選定するのが好ましい。
【００１３】
シート状支持部２に設ける切込み部６は、スタンド部４の形成を容易にする点から、開口部周縁３ａから１〜１０mm外側（図１の距離Ａ）に設けるのが好ましく、より好ましくは２〜８mmである。該切込み部６の端部は、シート支持部の両端部に延びる折曲げ部７と連接する。折曲げ部７の距離（図１の距離Ｂ）は通常５〜２０mmとされる。また相対する折曲げ部７の間の距離（図１の距離Ｃ）は、開口部の口径Ｅより１０mm以上短くすることが好ましく、既存容器の口径より１５〜３５mm短くするのがより好ましい。この距離Ｃは、フィルターを組立てたときのスタンド部４間の距離となり、この距離Ｃが狭すぎると既存容器に装着したときのフィルターが不安定となりやすく、また広すぎるとスタンド部４を形成するためにシート状支持部全体を大きくする必要があり不経済となる。
【００１４】
切込み部６および折曲げ部７により形成されるスタンド部４の高さ（図１の距離Ｄ）は、１５〜８０mmとするのが好ましい。スタンド部４の高さがが低すぎると、既存容器に装着されたフィルター部１の位置が低すぎて抽出時に既存容器内の抽出液量を観察することができず、供給する熱湯量の調整ができにくくなる。既存容器内の抽出液の観察を容易にする点からは、抽出時において、既存容器の開口部入口からフィルター部の底部までの距離が２０mm未満となるようにスタンド部の高さＤを調整するのがより好ましい。また折曲げ部７の距離Ｂが長い場合には抽出液が観察しにくくなる、この場合には、折曲げ部７と折曲げ部７の間のシート状支持部２の水平部を例えば半円形に切断するなどして覗き窓を形成することにより抽出液の観察が容易となる。
【００１５】
舌片部５は、スタンド部４の端部中央に連結して設けられ、組み立てたフィルターを既存容器８に固定する役割を有する。従って、舌片部５の大きさは、既存容器の内部に挿入することができる形状および大きさとする必要であり、通常は１０〜５０mmの四角形状または矩形状とされるが、スタンド部との連接部に５〜３０mmの切り込みを入れて既存容器内部に挿入し易いようにしてもよい。
切込み部６は、例えば不織布の切断時に同時にカッターで切り込みを入れることにより設けられる。折曲げ部７は、組立てる時に折り曲げしやすいように、熱プレス成型時に加圧部を設けるか、切断加工時にミシン目を入れて設けられるか、その他プレス機等の方法で折曲げ部が設けられる。
【００１６】
以下、本発明を実施例によりさらに詳しく説明する。
実施例１
図１に示す組立式フィルターを、以下に示す不織布および寸法で不織布を一体成形して製造した。なお、切込み部６は、カッターを用いて切り込みを入れ、また折曲げ部はミシン目とした。
不織布として、公知のスパンボンド方式で得たポリエステル不織布（目付２５０ｇ／ｍ2 、厚み０．５７mm、通気性２５cm3 ／cm2 ・ｓｅｃ、１６０℃の破断伸度２１０％）にシリコーン系樹脂を付着量０．２ｇ／ｍ2 で塗布したものを用いた。一体成形は、上部口径６５mm、底部口径４５mm、深さ４５mmの円錐台形状の金型を温度１６０℃に加熱させて加熱プレス成形加工を行った。
【００１７】
シート状支持部の大きさは縦、横ともに９５mmとし、フィルター部の開口部の口径は６５mm、底部の口径は４５mmおよび深さは４５mmとした。また開口部周縁から切込み部６までの距離Ａは３mm、折曲げ部７の直線状の距離Ｂは２０mm、折曲げ部間の距離Ｃは４０mm、スタンド部の高さＤは２５mmとした。また舌片部の大きさは１．５cm×３cmとし、スタンド部と連結する部分に切り込みを入れて１cmのみがスタンド部と連接するようにした。
得られたフィルターを組み立ててコーヒーカップ（口径８０mm）にセットし、レギュラーコーヒー粉末１０ｇを入れて熱湯１５０ccを用いてコーヒーの抽出を行ったが、熱湯を注ぐときにフィルターがぐらつくことながなく、安定した抽出を行うことができた。また抽出液がフィルターをセットしたまま観察できるため、抽出液の色や量の確認が容易であった。
【００１８】
【発明の効果】
本発明の組立式フィルターによれば、以下の効果が得られる。
▲１▼容器形状にフィルター部が形成されているため、組立が容易であり、使用が簡便である。
▲２▼既存容器を利用して成分抽出ができる。
▲３▼抽出した液または量を組立式フィルターのスタンド部から観察できる。
▲４▼不織布で構成されるため、水や熱湯を注いでも変形しない。
▲５▼不織布で構成されるため、水洗いして再度使用可能である。
【図面の簡単な説明】
【図１】本発明の一実施例を示す組立式フィルターの平面図および正面図。
【図２】図１の組立式フィルターを組み立てた場合の斜視図。
【図３】図１の組立式フィルターを組み立てて既存容器に装着したときの説明図。
【符号の説明】
１…フィルター部、２…シート状支持部、３…開口部、３ａ…開口部周縁、４…スタンド部、５…舌片部、６…切込み部、７…折曲げ部、Ａ…開口部周縁から切込み部までの距離、Ｂ…切込み部の端部からシート状支持部の両端部までの距離、Ｃ…折曲げ部間の距離（スタンド部間の距離）、Ｄ…スタンド部の高さ、Ｅ…フィルター開口部の口径、Ｆ…フィルター底部の口径、Ｈ…フィルター部の高さ。
【図１】
0004004142.tif 000002
【図２】
0004004142.tif 000003
【図３】
0004004142.tif 000004